(57)【特許請求の範囲】
【請求項１】
複数の枠体及び覆いシートを含む蛇腹状覆い構造体と、
乗客コンベアのトラスによって支持された固定支持に接続された上部支持ワイヤ及び該乗客コンベアの前記トラスによって支持された固定支持に接続された下部支持ワイヤとを備え、
前記枠体のそれぞれは、左右一対の脚部と、該左右一対の脚部に架橋される橋部とを含み、
前記左右一対の脚部は、前記橋部によって、前記乗客コンベアの左右デッキ上面に載置される間隔に維持され、
前記覆いシートは、前記複数の枠体にまたがって支持されており、
前記蛇腹状覆い構造体は、折畳形態と、伸長形態とをとることができ、
前記複数の枠体の間隔は、前記折畳形態と前記伸長形態との間で変化するものであり、
前記上部支持ワイヤ及び下部支持ワイヤは、前記乗客コンベアの前記左右デッキ上面にまたがって載置されている前記蛇腹状覆い構造体の上部及び下部を上方及び下方に引っ張っている、
乗客コンベアの仮囲い装置。
【発明の詳細な説明】
【技術分野】
【０００１】
本発明は、乗客コンベアの仮囲い装置に関するものである。
【背景技術】
【０００２】
既存の乗客コンベアの改修リフォームにおいては、乗客コンベアを覆う仮囲い装置が用いられる。例えば、特許文献１には、乗客コンベアの改修に使用される装置が開示されている。かかる装置では、覆いシートが複数の吊持部材を介して支持される。吊持部材はそれぞれ、乗客コンベアが設置される空間の天井などに設けた建屋梁に固定されて、吊持ちのための荷重を負担する。
【０００３】
ここで、近年、建築物の空間においては天井が高く設けられた物件も多く、また、天井や壁を含めた内装の意匠性が極めて高い物件が多く見られる。特に鉄道駅や商業施設ではかかる傾向が顕著に見られる。しかしながら、フロアの天井が高くなると、上記特許文献１に開示のような吊持部材を用いた吊り下げ固定は、困難となる問題がある。また、天井や壁等の意匠性が高い物件では、吊持部材を当接させると意匠面が傷つく恐れがあるため、吊持部材の使用が困難となる問題がある。
【先行技術文献】
【特許文献】
【０００４】
【特許文献１】特開２００５−３３５８５０号公報
【発明の概要】
【発明が解決しようとする課題】
【０００５】
本発明は、上述した従来の問題を解決するためになされたものであり、乗客コンベアの設置空間の天井や壁を傷つけることなく設置することができる、乗客コンベアの仮囲い装置を提供することを目的とする。
【課題を解決するための手段】
【０００６】
上述した目的を達成するため、本発明の仮囲い装置は、覆い構造体と、エスカレータのトラスによって支持された固定支持に接続された上部支持ワイヤ及びエスカレータのトラスによって支持された固定支持に接続された下部支持ワイヤとを備え、前記覆い構造体は、乗客コンベアの左右デッキ上面にまたがって載置されており、前記上部支持ワイヤ及び下部支持ワイヤは、乗客コンベアの左右デッキ上面にまたがって載置されている前記覆い構造体の上部及び下部を上方及び下方に引っ張っている。
【発明の効果】
【０００７】
本発明の仮囲い装置によれば、乗客コンベアの設置空間の天井や壁を傷つけることなく設置することができる。
【図面の簡単な説明】
【０００８】
【図１】本発明の実施の形態に係る仮囲い装置の適用対象例である、駅の上りエスカレータについて下から見上げた状態を示す図である。
【図２】本発明の実施の形態に係る仮囲い装置の全体構成を示す側面図である。
【図３】一つの枠体に関する正面及び側面を示す図である。
【図４】図２の矢印ＩＶに沿って覆い構造体を見上げた状態の斜視図である。
【図５】仮囲い方法の一工程を示す図である。
【図６】図５の矢印ＶＩに沿って見た図である。
【図７】仮囲い方法に関する図５の次の工程を示す図である。
【図８】図７の矢印ＶＩＩＩに沿って見た図である。
【図９】仮囲い方法に関する図７の次の工程を示す図である。
【図１０】図９の矢印Ｘに沿って見た図である。
【図１１】仮囲い方法に関する図９の次の工程を示す図である。
【発明を実施するための形態】
【０００９】
以下、本発明に係る乗客コンベアの仮囲い装置等について、鉄道駅に設けられたエスカレータの仮囲いとして実施した場合の実施の形態について添付図面に基づいて説明する。なお、図中、同一符号は同一又は対応部分を示すものとする。
【００１０】
図１は、本実施の形態に係る仮囲い装置の適用対象例である、駅の上りエスカレータについて下から見上げた状態を示す図である。図１に例示するように、駅施設１における天井３は、高い位置に設けられており、さらに、凝った意匠が施されている。このような駅施設１では、天井３までの距離が長く、また、意匠面を損傷させる恐れがあるので、天井３から仮囲い装置を吊り下げたり、仮囲い装置を固定するために突っ張り棒を天井３に当接させたりすることはできない。
【００１１】
さらに、エスカレータ５の横にある側壁７も意匠面の損傷を避ける必要がある場合、同様に、仮囲い装置の固定に利用できない場合もある。さらに、例えば、図示のように上りエスカレータ５が３台横に並んで設置されている場合、真ん中のエスカレータは、すぐ横に側壁７が存在しないため、例え側壁７の意匠面損傷の問題が生じにくい状況であっても、仮囲い装置の固定のために側壁７を利用することは期待できない。本実施の形態は、このような駅施設１に対して、以下に説明するように適用される。
【００１２】
図２は、本実施の形態に係る仮囲い装置の全体構成を示す側面図である。図２に示されるように、仮囲い装置１１は、覆い構造体１３と、上部支持部材１５と、下部支持部材１７とを備える。
【００１３】
覆い構造体１３は、複数の枠体１９と、覆いシート２１とを有している。図３は、一つの枠体に関する正面及び側面を示す図である。図３に示されるように、枠体１９はそれぞれ、正面から見て、「コ」の字状の形態をなすフレーム部材（例えばアルミパイプ）である。枠体１９はそれぞれ、左右一対の脚部１９ａ，１９ｂと、上部橋部１９ｃとを有している。
【００１４】
左右一対の脚部１９ａ，１９ｂはそれぞれ、上下に延びる棒状の部分である。上部橋部１９ｃは、左右一対の脚部１９ａ，１９ｂの上部間を架橋するように横方向に延びる棒状の部分である。また、図３紙面においてみて、左側の脚部１９ａの上部と上部橋部１９ｃの左側端部との間、右側の脚部１９ｂの上部と上部橋部１９ｃの右側端部との間は、それぞれ、斜めに延びる補強材１９ｄで接続されている。
【００１５】
図１及び図２に示されるように、左右一対の脚部１９ａ，１９ｂは、エスカレータ５における左右のデッキ２３の上面２３ａに載置される。左右のデッキ２３は、対応する左右の欄干２５の上部に設けられている。左右の欄干２５はそれぞれ、トラス２７に支持されている。また、左右の欄干２５の間には、無端状に連結され循環移動される踏段２９が、トラス２７によって支持されている。左右のデッキ２３の上面２３ａにおける踏段２９寄り（内側寄り）の部分には、移動手摺３１が所定方向に走行する。移動手摺３１は、無端状をなすベルト状部材であり、欄干２５の周りを周回移動する。
【００１６】
図３にもどり、枠体１９における左右一対の脚部１９ａ，１９ｂは、上部橋部１９ｃによって、エスカレータ５の左右のデッキ２３の上面２３ａに載置される間隔に維持されており、より詳細には、デッキ２３の上面２３ａにおける移動手摺３１の外側の部分に載置される間隔に維持されている。
【００１７】
枠体１９の左右一対の脚部１９ａ，１９ｂのそれぞれ下端部には、ゴム製又は樹脂製の当接端３３が取り付けられている。当接端３３は、左右一対の脚部１９ａ，１９ｂがデッキ２３の上面２３ａに置かれた際に、枠体１９が横滑りするのを防止し、及び／又は、デッキ２３の上面２３ａに傷が付くのを防止する。
【００１８】
覆いシート２１は、可撓性を備えた防炎シートであって、複数の枠体１９にまたがって支持されている。図４は、図２の矢印ＩＶに沿って覆い構造体１３を見上げた状態の斜視図である。図４に示されるように、本実施の形態では、覆いシート２１は、複数の枠体１９の脚部１９ａ，１９ｂのそれぞれ外側を覆うように設けられており、上部橋部１９ｃの上方は、覆いシート２１に覆われず開放されている。なお、本発明は、必要に応じて、枠体１９の上部を覆うようにして実施することもできる。
【００１９】
また、覆い構造体１３は、本実施の形態では、折畳形態と伸長形態とをとることができる。覆い構造体１３は、蛇腹状の構造体であって、折畳形態と伸長形態との間で長さが変化する。換言すれば、複数の枠体１９の間隔が、覆い構造体１３の折畳形態と伸長形態との間で変化する。
【００２０】
なお、本実施の形態では、覆い構造体１３は、複数の部分に分割されており、それら部分を、図２に示されるように適当な締結手段１３ａによって相互に接続することでエスカレータ５に対して必要な長さを提供するように構成されている。本実施の形態に関して図示した分割数は、あくまでも一例であり、本発明は特にこれに限定されるものではない。
【００２１】
上部支持部材１５及び下部支持部材１７は、本実施の形態では、ワイヤで構成されている。図２に示されるように、上部支持部材１５及び下部支持部材１７の一端は、覆い構造体１３の対応する上部及び下部に接続されており、他端は、対応する固定支持３５に接続されている。固定支持３５はそれぞれ、エスカレータ５のトラス２７によって支持されている。これによって、上部支持部材１５は、覆い構造体の上部を蛇腹の伸長方向（上方）に引っ張り、下部支持部材１７は、覆い構造体の下部を蛇腹の伸長方向（下方）に引っ張る。
【００２２】
次に、上記のように構成された本実施の形態に係る仮囲い装置を用いた仮囲い方法について主に図２、図５〜図１１を参照しながら説明する。図５、図７、図９及び図１１はそれぞれ、仮囲い方法の工程を示す図である。図６、図８及び図１０はそれぞれ、図５の矢印ＶＩ、図７の矢印ＶＩＩＩ及び図９の矢印Ｘに沿って見た図である。
【００２３】
図５及び図６の（ａ）に示されるように、まず、覆い構造体１３の最初の分割部分を、折畳形態となっている状態で、デッキ２３の上面２３ａに立てて載置する。続いて、この最初の分割部分を、図６の（ｂ）に示されるように、デッキ２３の上面２３ａに沿って伸ばしていき、図７及び図８に示されるように、伸長形態とする。その一方で、図７及び図１０に示されるように、覆い構造体１３の上部を、上部支持部材１５を介して吊り下げ支持する。なお、上部支持部材１５による支持タイミングは、伸長の前に支持を完了しておくことが好ましいが、本発明は、これに限定されず、最初の分割部分の伸長の後であってもよい。
【００２４】
分割部分の伸長に際しては、上下に隣り合う枠体１９同士が、可撓性の覆いシート２１でつながっているだけなので、それぞれの枠体１９は、隣り合う枠体１９に対して位置・間隔・姿勢がかなり自在に変化することできる。そのため、図７及び図８に示されるように、エスカレータ５の上部（下部でも同様）におけるデッキ２３の上面２３ａの湾曲にならって、覆い構造体１３も湾曲することができるようになっている。
【００２５】
次に、図９に示されるように、覆い構造体１３の最初の分割部分の下端に、２番目の分割部分の上端を、締結手段１３ａを介して接続する。以降、同様に、図１１に示されるように、次の分割部分の上端を、その一つ上の分割部分の下端に接続し、図２に示されるように、最後の分割部分を、その一つ上の分割部分の下端に接続する。このとき、各分割部分は、接続後に伸長されてもよいし、伸長された形態で接続されてもよい。
【００２６】
覆い構造体１３の載置が終了したならば、図２に示されるように、覆い構造体１３の下部を、下部支持部材１７を介して引っ張るようにして支持する。このようにして、エスカレータ５に対する仮囲いを行う。
【００２７】
以上に説明した本実施の形態によれば、上方側から覆い構造体の自重を受け持たせながら覆い構造体による囲い領域を下方に延ばしていくので、エスカレータが設置された空間の天井や側壁に依拠した支持を強いられることなく、仮囲い装置を設置することができる。したがって、天井・側壁等の意匠性が高い物件においても天井・側壁等を傷つけることなく仮囲い装置を設置することができる。また、天井や側壁の利用が強いられないので、天井が高い物件のエスカレータや３台以上が横に並んで配置されたエスカレータに対しても仮囲い装置を設置することができる。さらに、本実施の形態では、エスカレータの欄干を外さないで済むので、駅施設のエレベータにつき、いわゆる終電運転の終了から始発運転の開始までの期間に、仮囲い工事を含めたエレベータの改修工事の完了を可能とする。さらに、本実施の形態では、エスカレータのデッキを構成するアルミ板に穴を開けなくて済むので、リフォームに際して、デッキは、メッキ処理して再利用することができるという利点もある。
【００２８】
以上、好ましい実施の形態を参照して本発明の内容を具体的に説明したが、本発明の基本的技術思想及び教示に基づいて、当業者であれば、種々の改変態様を採り得ることは自明である。
【００２９】
例えば、覆い構造体の上部支持部材による支持のタイミングは、覆い構造体の重量や長さによっては、覆い構造体の一部または全体を伸長した後となるようにすることもできる。
【００３０】
また、覆い構造体は、相互に接続される複数の分割部分からなる態様に限定されるものではなく、覆い構造体の重量や長さによっては、最初から全体が連続して構成されているようであってもよい。
【００３１】
また、覆い構造体は、その重量や長さ、更には分割数などによっては、必ずしも伸縮性を備える必要はない。また、覆いシートは、膜状または薄板状のものであればよく、構成材質は特に限定されない。さらに、覆い構造体は、乗客コンベアの左右デッキ上面にまたがって配置され、左右デッキの間の領域を上方から覆うものであればよく、必ずしも枠体・シートの区別が明確である構造に限定されるものではない。
【００３２】
なお、本明細書は、以下のものをも含むものである。
【００３３】
態様１として、覆い構造体と、前記覆い構造体の上部及び下部を上方及び下方に引っ張る上部支持部材及び下部支持部材とを備え、前記覆い構造体は、乗客コンベアの左右デッキ上面にまたがって載置される、客コンベアの仮囲い装置。
【００３４】
態様２して、複数の枠体及び覆いシートを含む蛇腹状覆い構造体と、前記蛇腹状覆い構造体の上部及び下部を蛇腹の伸長方向に引っ張る上部支持部材及び下部支持部材とを備え、前記枠体のそれぞれは、左右一対の脚部と、該一対の脚部に架橋される橋部とを含み、前記左右一対の脚部は、前記橋部によって、乗客コンベアの左右デッキ上面に載置される間隔に維持され、前記覆いシートは、前記複数の枠体にまたがって支持されており、前記蛇腹状覆い構造体は、折畳形態と、伸長形態とをとることができ、前記複数の枠体の間隔は、前記折畳形態と前記伸長形態との間で変化する、乗客コンベアの仮囲い装置。
【００３５】
態様３として、乗客コンベアの左右デッキ上面にまたがって載置する覆い構造体を用意し、前記覆い構造体を、上方側から自重を受け持たせながら該覆い構造体による囲い領域を下方に延ばす、客コンベアの仮囲い方法。
【符号の説明】
【００３６】
５  エスカレータ（乗客コンベア）、１１  仮囲い装置、１３  覆い構造体、１５  上部支持部材、１７  下部支持部材、１９  枠体、１９ａ，１９ｂ  脚部、１９ｃ  上部橋部、２１  覆いシート、２３  デッキ、２３ａ  上面。
【図１】
0005936664.tif 000002
【図２】
0005936664.tif 000003
【図３】
0005936664.tif 000004
【図４】
0005936664.tif 000005
【図５】
0005936664.tif 000006
【図６】
0005936664.tif 000007
【図７】
0005936664.tif 000008
【図８】
0005936664.tif 000009
【図９】
0005936664.tif 000010
【図１０】
0005936664.tif 000011
【図１１】
0005936664.tif 000012